(57)【特許請求の範囲】
【請求項１】
少なくとも２階建ての建物の床下空間に換気空調装置が設置されており、
前記建物は、２階以上の上階居室空間と、２階以上の共有空間とを備え、
前記換気空調装置は、前記建物の外側面に面して設けられた外気吸入口と連通する外気吸込部と、空調用吸込部と、前記共有空間に面して設けられた共有給気口と連通するようにダクトを介して接続された換気空調兼用床上用吹出部とを備え、
前記共有給気口は、前記共有空間内における前記上階居室空間の床部の高さ位置に設けられており、
前記上階居室空間と前記共有空間との間には、上階給気口が設けられているとともに、該上階給気口には、強制給気手段が設けられており、
前記建物の前記共有空間に面して前記換気空調装置の前記空調用吸込部と連通するように共有排気口が設けられており、
前記建物の外側面に面して設けられた内気吐出口が、前記共有空間に面して設けられた共有換気口と連通するようにダクトを介して接続されており、前記内気吐出口と前記共有換気口とを接続するダクトの中継部分に強制排気手段が設けられており、
前記換気空調装置の内部又は外部には、該換気空調装置、前記強制給気手段、及び前記強制排気手段に有線又は無線で接続され、これらを制御する制御部を備えていることを特徴とする換気空調システム。
【請求項２】
前記上階居室空間と前記共有空間との間には、上階給排気口が設けられていることを特徴とする請求項１に記載の換気空調システム。
【請求項３】
前記外気吸入口と前記外気吸込部との間が、ダクトを介して接続されていることを特徴とする請求項１又は２に記載の換気空調システム。
【請求項４】
前記換気空調装置の前記外気吸込部と前記空調用吸込部とが設けられる上流側に、気液接触型の空気清浄装置を備えていることを特徴とする請求項１乃至３のいずれか１項に記載の換気空調システム。
【請求項５】
前記建物は、１階居室空間を備え、
前記換気空調装置は、１階床上用吹出部を備え、
前記１階居室空間には、該１階居室空間に面して、１階換気空調給気口と、１階空調排気口とが設けられており、
前記換気空調装置の前記１階床上用吹出部と前記１階換気空調給気口との間が、ダクトを介して接続されていることを特徴とする請求項１乃至４のいずれか１項に記載の換気空調システム。
【請求項６】
前記１階居室空間と前記共有空間との間には、１階換気排気口が設けられていることを特徴とする請求項５に記載の換気空調システム。
【請求項７】
前記換気空調装置は、ヒートポンプ式のエアコンディショナの屋内機であり、屋外に設置された屋外機と接続されていることを特徴とする請求項１乃至６のいずれか１項に記載の換気空調システム。
【請求項８】
前記床下空間は、前記建物の床と基礎底盤コンクリートと基礎側壁コンクリートとに囲まれているとともに、前記基礎側壁コンクリートには基礎断熱材が取り付けられていることを特徴とする請求項１乃至７のいずれか１項に記載の換気空調システム。
【請求項９】
空調運転時においては、前記制御部は、前記換気空調装置の前記換気空調兼用床上用吹出部から空調用の空気を吹き出し、前記上階給気口に設けられた前記強制給気手段を稼動させる制御を行うことを特徴とする請求項１乃至８のいずれか１項に記載の換気空調システム。
【請求項１０】
換気運転時においては、前記制御部は、前記換気空調装置の前記外気吸込部から換気用の外気を吸い込み、前記換気空調兼用床上用吹出部から換気用の空気を吹き出し、前記内気吐出口と該内気吐出口と連通するようにダクトを介して前記上階居室空間に面して設けられた上階換気用排気口及び前記共有換気口とを接続するダクトの中継部分に設けられた前記強制排気手段を稼動させる制御を行うことを特徴とする請求項１乃至８のいずれか１項に記載の換気空調システム。
【請求項１１】
換気空調運転時においては、前記制御部は、前記換気空調装置の前記外気吸込部から換気用の外気を吸い込み、前記換気空調兼用床上用吹出部から空調用の空気及び換気用の空気を吹き出し、前記上階給気口に設けられた前記強制給気手段を稼動させるとともに、前記内気吐出口と前記上階換気用排気口及び前記共有換気口とを接続するダクトの中継部分に設けられた前記強制排気手段も稼動させる制御を行うことを特徴とする請求項１乃至８のいずれか１項に記載の換気空調システム。
【請求項１２】
請求項１乃至１１のいずれか１項に記載の換気空調システムを備えていることを特徴とする建物。
【発明の詳細な説明】
【技術分野】
【０００１】
本発明は、建物の換気空調システム及びこの換気空調システムを備えた建物に関するものである。
【背景技術】
【０００２】
従来から、建物の床上空間における換気と空調とを同時に行える換気空調システムが知られている（例えば、特許文献１等を参照）。
【先行技術文献】
【特許文献】
【０００３】
【特許文献１】特開２００７−９３０２６号公報
【発明の概要】
【発明が解決しようとする課題】
【０００４】
しかしながら、特許文献１のような従来の換気空調システムでは、２階以上の居室空間へ換気用の空気と空調用の空気とを一緒に送るために、床下空間に設置された換気空調装置から２階以上の各居室空間へ太いダクトを配設しなければならなかった。
【０００５】
このため、この太いダクトが通るように、壁内や上階の床内の設置スペースを確保しなければならず、その分、壁構造や上階の床構造の設計の自由度に制限を与えることとなっていた。
【０００６】
そこで、本発明は、２階以上の上階居室空間へ配設されるダクトを細くでき、壁構造や上階の床構造の設計の自由度に極力制限を与えることがない換気空調システム及びこの換気空調システムを備えた建物を提供することを目的としている。
【課題を解決するための手段】
【０００７】
前記目的を達成するために、本発明の換気空調システムは、少なくとも２階建ての建物の床下空間に換気空調装置が設置されており、前記建物は、２階以上の上階居室空間と、２階以上の共有空間とを備え、前記換気空調装置は、前記建物の外側面に面して設けられた外気吸入口と連通する外気吸込部と、空調用吸込部と、前記共有空間に面して設けられた共有給気口と連通するようにダクトを介して接続された換気空調兼用床上用吹出部とを備え、前記上階居室空間と前記共有空間との間には、上階給気口が設けられているとともに、該上階給気口には、強制給気手段が設けられており、前記建物の前記共有空間に面して前記換気空調装置の前記空調用吸込部と連通するように共有排気口が設けられており、前記建物の外側面に面して設けられた内気吐出口が、前記共有空間に面して設けられた共有換気口と連通するようにダクトを介して接続されており、前記内気吐出口と前記共有換気口とを接続するダクトの中継部分に強制排気手段が設けられており、前記換気空調装置の内部又は外部には、該換気空調装置、前記強制給気手段、及び前記強制排気手段に有線又は無線で接続され、これらを制御する制御部を備えていることを特徴とする。
【０００８】
ここで、前記上階居室空間と前記共有空間との間には、上階給排気口が設けられているとよい。
【０００９】
この上階給排気口としては、例えば、上階居室空間の出入口となるドアの上側又は下側などに設けた隙間を利用することができる。
【００１０】
また、前記外気吸入口と前記外気吸込部との間が、ダクトを介して接続されているとよい。
【００１１】
また、前記換気空調装置の前記外気吸込部と前記空調用吸込部とが設けられる上流側に、気液接触型の空気清浄装置を備えていてもよい。
【００１２】
さらに、前記建物は、１階居室空間を備え、前記換気空調装置は、１階床上用吹出部を備え、前記１階居室空間には、該１階居室空間に面して、１階換気空調給気口と、１階空調排気口とが設けられており、前記換気空調装置の前記１階床上用吹出部と前記１階換気空調給気口との間が、ダクトを介して接続されているとよい。
【００１３】
また、前記１階居室空間と前記共有空間との間には、１階換気排気口が設けられているとよい。
【００１４】
この１階換気排気口としては、例えば、１階居室空間の出入口となるドアの上側又は下側などに設けた隙間を利用することができる。
【００１５】
また、前記換気空調装置は、ヒートポンプ式のエアコンディショナの屋内機であり、屋外に設置された屋外機と接続されているとよい。
【００１６】
さらに、前記床下空間は、前記建物の床と基礎底盤コンクリートと基礎側壁コンクリートとに囲まれているとともに、前記基礎側壁コンクリートには基礎断熱材が取り付けられているとよい。
【００１７】
また、空調運転時においては、前記制御部は、前記換気空調装置の前記換気空調兼用床上用吹出部から空調用の空気を吹き出し、前記上階給気口に設けられた前記強制給気手段を稼動させる制御を行うとよい。
【００１８】
また、換気運転時においては、前記制御部は、前記換気空調装置の前記外気吸込部から換気用の外気を吸い込み、前記換気空調兼用床上用吹出部から換気用の空気を吹き出し、前記内気吐出口と該内気吐出口と連通するようにダクトを介して前記上階居室空間に面して設けられた上階換気用排気口及び前記共有換気口とを接続するダクトの中継部分に設けられた前記強制排気手段を稼動させる制御を行うとよい。
【００１９】
また、換気空調運転時においては、前記制御部は、前記換気空調装置の前記外気吸込部から換気用の外気を吸い込み、前記換気空調兼用床上用吹出部から空調用の空気及び換気用の空気を吹き出し、前記上階給気口に設けられた前記強制給気手段を稼動させるとともに、前記内気吐出口と前記上階換気用排気口及び前記共有換気口とを接続するダクトの中継部分に設けられた前記強制排気手段も稼動させる制御を行うとよい。
【００２０】
本発明の建物は、上記した換気空調システムを備えていることを特徴とする。
【発明の効果】
【００２１】
このような本発明の換気空調システムは、少なくとも２階建ての建物の床下空間に換気空調装置が設置されており、建物は、２階以上の上階居室空間と、２階以上の共有空間とを備え、換気空調装置は、建物の外側面に面して設けられた外気吸入口と連通する外気吸込部と、空調用吸込部と、共有空間に面して設けられた共有給気口と連通するようにダクトを介して接続された換気空調兼用床上用吹出部とを備えている。
【００２２】
そして、上階居室空間と共有空間との間には、上階給気口が設けられているとともに、上階給気口には、強制給気手段が設けられており、建物の共有空間に面して換気空調装置の空調用吸込部と連通するように共有排気口が設けられており、建物の外側面に面して設けられた内気吐出口が、上階居室空間に面して設けられた上階換気用排気口と連通するようにダクトを介して接続されているとともに、内気吐出口は、共有空間に面して設けられた共有換気口とも連通するようにダクトを介して接続されており、内気吐出口と上階換気用排気口及び共有換気口とを接続するダクトの中継部分に強制排気手段が設けられており、換気空調装置の内部又は外部には、換気空調装置、強制給気手段、及び強制排気手段に有線又は無線で接続され、これらを制御する制御部を備えた構成とされている。
【００２３】
こうした構成なので、２階以上の上階居室空間へ配設されるダクトは、換気用の空気を排気するためだけに利用するため、その分細くでき、壁構造や上階の床構造の設計の自由度に極力制限を与えることなく、空気清浄化を行う換気と冷暖房や調湿などを行う空調とを同時に管理制御することができる。
【００２４】
ここで、上階居室空間と共有空間との間には、上階給排気口が設けられている場合は、この上階給排気口が、空調運転時及び換気空調運転時には、空調用の空気の排気口として機能し、換気運転時には、換気用の空気の給気口として機能するため、より簡易な構成にすることができる。
【００２５】
また、外気吸入口と外気吸込部との間が、ダクトを介して接続されている場合は、外気吸入口から吸入される換気用の空気を、換気空調装置の外気吸込部で吸い込む際に必要な酸素量を含んだ状態に保つことができる。
【００２６】
また、換気空調装置の外気吸込部と空調用吸込部とが設けられる上流側に、気液接触型の空気清浄装置を備えている場合は、気液接触型の空気清浄装置がフィルターのかわりとなり、しかもフィルター交換の必要がないため、略メンテナンスフリーとなる。
【００２７】
さらに、建物は、１階居室空間を備え、換気空調装置は、１階床上用吹出部を備え、１階居室空間には、１階居室空間に面して、１階換気空調給気口と、１階空調排気口とが設けられており、換気空調装置の１階床上用吹出部と１階換気空調給気口との間が、ダクトを介して接続されている場合は、１階居室空間においても、同一の換気空調装置によって、換気空調を行うことができる。
【００２８】
また、１階居室空間と共有空間との間には、１階換気排気口が設けられている場合は、この１階換気排気口が、換気運転時及び換気空調運転時に、換気用の空気の排気口として機能するため、より簡易な構成にすることができる。
【００２９】
また、換気空調装置は、ヒートポンプ式のエアコンディショナの屋内機であり、屋外に設置された屋外機と接続されている場合は、ヒートポンプを用いるため、省エネルギー性能に優れたものとすることができる。
【００３０】
さらに、床下空間は、建物の床と基礎底盤コンクリートと基礎側壁コンクリートとに囲まれているとともに、基礎側壁コンクリートには基礎断熱材が取り付けられている場合は、床下空間を断熱構造とするため、床下空間内の空気の熱を屋外に極力漏らすことなく、エネルギー効率のよい空調を行うことができる。
【００３１】
また、空調運転時においては、制御部は、換気空調装置の換気空調兼用床上用吹出部から空調用の空気を吹き出し、上階給気口に設けられた強制給気手段を稼動させる制御を行う場合は、換気空調装置の換気空調兼用床上用吹出部から吹き出した空調用の空気は、ダクトを通って共有給気口から共有空間へ吹き出され、強制給気手段が稼動した上階給気口から上階居室空間へ給気され、上階居室空間内を空調した後、上階給排気口としてのドアの隙間などから共有空間へ排気され、共有排気口を通って、換気空調装置の空調用吸込部から吸い込まれ、この循環を繰り返すため、上階居室空間に配設された換気用のダクトを用いない簡易且つ効率的な空調を行うことができる。
【００３２】
また、換気運転時においては、制御部は、換気空調装置の外気吸込部から換気用の外気を吸い込み、換気空調兼用床上用吹出部から換気用の空気を吹き出し、内気吐出口と上階換気用排気口及び共有換気口とを接続するダクトの中継部分に設けられた強制排気手段を稼動させる制御を行う場合は、外気吸入口から吸入された換気用の空気は、換気空調装置の外気吸込部から吸い込まれ、換気空調兼用床上用吹出部から吹き出され、ダクトを通って共有給気口から共有空間へ吹き出され、上階給排気口としてのドアの隙間などから上階居室空間へ給気され、上階居室空間内を換気した後、上階換気用排気口から強制排気手段が稼動したダクトを通って内気吐出口から建物の屋外へ排気され、この循環を繰り返すため、上階居室空間に配設された細い換気用のダクトを用いた簡易且つ効率的な換気を行うことができる。
【００３３】
また、換気空調運転時においては、制御部は、換気空調装置の外気吸込部から換気用の外気を吸い込み、換気空調兼用床上用吹出部から空調用の空気及び換気用の空気を吹き出し、上階給気口に設けられた強制給気手段を稼動させるとともに、内気吐出口と上階換気用排気口及び共有換気口とを接続するダクトの中継部分に設けられた強制排気手段も稼動させる制御を行う場合は、外気吸入口から吸入された換気用の空気は、換気空調装置の外気吸込部から吸い込まれ、換気空調兼用床上用吹出部から吹き出され、ダクトを通って共有給気口から共有空間へ吹き出され、強制給気手段が稼動した上階給気口から上階居室空間へ給気され、上階居室空間内を換気した後、上階換気用排気口から強制排気手段が稼動したダクトを通って内気吐出口から建物の屋外へ排気され、この循環を繰り返すとともに、換気空調装置の換気空調兼用床上用吹出部から吹き出した空調用の空気は、換気用の空気とともに、ダクトを通って共有給気口から共有空間へ吹き出され、強制給気手段が稼動した上階給気口から上階居室空間へ給気され、上階居室空間内を空調した後、上階給排気口としてのドアの隙間などから共有空間へ排気され、共有排気口を通って、換気空調装置の空調用吸込部から吸い込まれ、この循環を繰り返すため、上階居室空間に配設された細い換気用のダクトを用いた簡易且つ効率的な換気空調を行うことができる。
【００３４】
このような本発明の建物は、本発明の換気空調システムを備えた構成とされているので、上記した効果を奏する建物とすることができる。
【図面の簡単な説明】
【００３５】
【図１】実施例の換気空調システムを備えた建物の概略構成を説明する説明図である。
【図２】実施例の換気空調システムの概略構成を示すブロック図である。
【図３】実施例の換気空調システムにおいて、暖房空調運転、又は冷房空調運転を行った状態を示す説明図である。
【図４】実施例の換気空調システムにおいて、換気運転を行った状態を示す説明図である。
【図５】実施例の換気空調システムにおいて、換気空調運転を行った状態を示す説明図である。
【発明を実施するための形態】
【００３６】
以下、本発明を実施するための形態を、図面に示す実施例に基づいて説明する。
【実施例】
【００３７】
先ず、実施例の構成について説明する。
【００３８】
図１は、実施例の換気空調システムを備えた建物１の概略構成を示している。
【００３９】
まず、このような建物１は、基礎断熱として構築された基礎底盤コンクリート１ｂと、その側縁に立設された基礎側壁コンクリート１ｃと、さらにその上に立設された外壁部１ｄと、その外壁部１ｄの上端開口を塞ぐ天井部１ｅとから主に構成されている。
【００４０】
そして、この天井部１ｅと外壁部１ｄとに囲まれる空間は、１階部分の床としての床部１ａによって床下空間４と居室などの床上空間５とが区切られている。
【００４１】
さらに、床上空間５は、中間壁１ｆ，１ｇ，１ｈと２階部分の床としての床部１ｉとが設けられており、１階居室空間５１，５１と２階居室空間５２，５２と共有空間としての階段スペース５３とに区画され、２階建ての建物とされている。
【００４２】
なお、建物１内の空間配置が分かり易いように、階段スペース５３における階段の図示は省略した。
【００４３】
ここで、共有空間としての階段スペース５３と２階居室空間５２との間の中間壁１ｆには、出入口としてのドア５２ａが設けられており、このドア５２ａの下側と床部１ｉとの間には、上階給排気口としての隙間６２が設けられている。
【００４４】
また、中間壁１ｆのドア５２ａの上方には、強制給気手段としての給気用ファン７ａを有する上階給気口７が設けられている。
【００４５】
ここで、共有空間としての階段スペース５３と２階居室空間５２との間の中間壁１ｈにも、出入口としてのドア５２ａが設けられており、このドア５２ａの下側と床部１ｉとの間にも、上階給排気口としての隙間６２が設けられている。
【００４６】
また、中間壁１ｈのドア５２ａの上方にも、強制給気手段としての給気用ファン７ａを有する上階給気口７が設けられている。
【００４７】
また、共有空間としての階段スペース５３と１階居室空間５１との間の中間壁１ｆには、出入口としてのドア５１ａが設けられており、このドア５１ａの下側と床部１ａとの間には、１階換気排気口としての隙間６１が設けられている。
【００４８】
また、共有空間としての階段スペース５３と１階居室空間５１との間の中間壁１ｇにも、出入口としてのドア５１ａが設けられており、このドア５１ａの下側と床部１ａとの間にも、１階換気排気口としての隙間６１が設けられている。
【００４９】
さらに、基礎側壁コンクリート１ｃの床下空間４側には、基礎断熱材１９が貼り付けられており、床下空間４内の空気の熱を屋外に極力漏れない断熱構造となっている。
【００５０】
なお、この基礎断熱材１９としては、グラスウールなどが好適に用いられる。
【００５１】
そして、この実施例の換気空調システムでは、床下空間４に換気空調装置としてのエアコンディショナの屋内機３が設置されている。
【００５２】
この換気空調装置としてのエアコンディショナの屋内機３は、冷暖房機能、送風機能、及び除湿機能を有している。
【００５３】
そのうえ、この換気空調装置としてのエアコンディショナの屋内機３内には、その上流側に、気液接触型の空気清浄装置としてのエアワッシャー３ａが内蔵されている。
【００５４】
また、このエアコンディショナの屋内機３の下流側には、後述する換気空調兼用床上用吹出部３３及び１階床上用吹出部３４，３４から空気を様々な強さで吹き出させることが可能なファン（図示せず）が内蔵されている。
【００５５】
ここで、この換気空調装置としてのエアコンディショナの屋内機３は、ヒートポンプ式であり、建物１の屋外に設置された屋外機２と接続されている。
【００５６】
また、エアコンディショナの屋内機３の内部には、屋外機２に繋がっている熱媒循環管路２１が接続されている。
【００５７】
また、このエアコンディショナの屋内機３は、上流側に、外気吸込部３１と空調用吸込部３２とを有している。
【００５８】
ここで、建物１の外壁部１ｄには、外気吸入口８が設けられており、エアコンディショナの屋内機３の外気吸込部３１とダクト９１を介して接続されている。
【００５９】
また、建物１の階段スペース５３の１階部分の床部１ａには、グリル付きの共有排気口１０が設けられており、共有空間としての階段スペース５３とエアコンディショナの屋内機３の空調用吸込部３２とは、空間的に連通している。
【００６０】
さらに、この換気空調装置としてのエアコンディショナの屋内機３は、下流側に、換気空調兼用床上用吹出部３３と１階床上用吹出部３４，３４が設けられている。
【００６１】
ここで、建物１の階段スペース５３の２階踊り場となる床部１ｉには、グリル付きの共有給気口１１が設けられており、エアコンディショナの屋内機３の換気空調兼用床上用吹出部３３とダクト９２を介して接続されている。
【００６２】
なお、ダクト９２の上側は、中間壁１ｇ内に配設され、残りの下側は、床下空間４内に配設されている。
【００６３】
また、建物１の１階居室空間５１，５１の床部１ａには、グリル付きの１階換気空調給気口１２がそれぞれ設けられており、エアコンディショナの屋内機３の１階床上用吹出部３４，３４とダクト９３を介してそれぞれ接続されている。
【００６４】
さらに、建物１の１階居室空間５１，５１の床部１ａには、グリル付きの１階空調排気口１３がそれぞれ設けられており、エアコンディショナの屋内機３の空調用吸込部３２と床下空間４により、空間的に連通している。
【００６５】
また、建物１の共有空間としての階段スペース５３の１階部分の床部１ａには、グリル付きの共有換気口１４が設けられており、２階居室空間５２，５２の床部１ｉには、上階換気用排気口１５がそれぞれ設けられている。
【００６６】
さらに、建物１の外壁部１ｄには、内気吐出口１６が設けられており、共有換気口１４から配設された換気用のダクト９４と上階換気用排気口１５，１５から配設された換気用のダクト９５，９５とが、分岐チャンバ１７で合流され、この分岐チャンバ１７から換気用のダクト９６を介してこの内気吐出口１６と接続されている。
【００６７】
ここで、換気用のダクト９６の中継部分には、強制排気手段としての排気用ファン１８が設けられている。
【００６８】
なお、換気用のダクト９５，９５は、上側が、２階部分の床部１ｉと中間壁１ｆ，１ｇ内に配設され、残りの下側は、床下空間４内に配設されており、空調用のダクト９２は勿論、空調用のダクト９３，９３よりも細いものが用いられている。
【００６９】
また、換気空調装置としてのエアコンディショナの屋内機３には、図２に示したように、制御部３０が内蔵されている。
【００７０】
そして、この制御部３０は、エアコンディショナの屋内機３を制御する制御部であるとともに、強制給気手段としての給気用ファン７ａ，７ａと強制排気手段としての排気用ファン１８と有線又は無線で接続されており、これらのオン・オフの信号及び必要な回転数の信号を送信して制御する制御部でもある。
【００７１】
さらに、床上空間５には、この実施例の換気空調システムを所望の運転パターンに設定するための図示省略のコントローラが設けられている。
【００７２】
そして、このコントローラから有線又は無線で、制御部３０へ設定信号が送信され、換気空調装置としてのエアコンディショナの屋内機３、強制給気手段としての給気用ファン７ａ，７ａ、及び強制排気手段としての排気用ファン１８が、その設定信号に基づいて制御される。
【００７３】
次に、実施例の換気空調システムの運転パターンについて説明する。
【００７４】
なお、図３〜図５では、換気用の空気の流れを黒矢印で示し、空調用の空気の流れは白抜矢印で示して説明する。
【００７５】
まず、暖房空調運転時のパターンについて説明する。
【００７６】
２階居室空間５２，５２を暖房するときは、制御部３０は、エアコンディショナの屋内機３を稼動させて、換気空調兼用床上用吹出部３３から空調用の暖気を吹き出し、上階給気口７，７に設けられた強制給気手段としての給気用ファン７ａを稼動させる制御を行う。
【００７７】
このように制御を行うと、図３に示したように、エアコンディショナの屋内機３の換気空調兼用床上用吹出部３３から吹き出した空調用の暖気は、ダクト９２を通って共有給気口１１から共有空間としての階段スペース５３へ吹き出される。
【００７８】
この暖気は、給気用ファン７ａが稼動した上階給気口７から２階居室空間５２，５２へ給気され、２階居室空間５２，５２内を空調した後、上階給排気口としてのドア５２ａの下側の隙間６２から階段スペース５３へ排気される。
【００７９】
そして、共有排気口１０を通って、エアコンディショナの屋内機３の空調用吸込部３２から吸い込まれ、この循環を繰り返す。
【００８０】
なお、片側のみの２階居室空間５２だけを暖房するときは、その２階居室空間５２に付随する給気用ファン７ａだけを稼動させればよい。
【００８１】
また、１階居室空間５１，５１も暖房するときは、１階床上用吹出部３４，３４からも空調用の暖気を吹き出させる。
【００８２】
このように制御を行うと、図３に示したように、エアコンディショナの屋内機３の１階床上用吹出部３４，３４から吹き出した空調用の暖気は、ダクト９３を通って１階換気空調給気口１２から１階居室空間５１，５１へそれぞれ給気される。
【００８３】
そして、１階居室空間５１，５１内を空調した後、１階空調排気口１３を通って、エアコンディショナの屋内機３の空調用吸込部３２から吸い込まれ、この循環を繰り返す。
【００８４】
なお、片側のみの１階居室空間５１だけを暖房するときは、その１階居室空間５１の１階換気空調給気口１２にダクト９３を介して接続される１階床上用吹出部３４だけから空調用の暖気を吹き出させればよい。
【００８５】
さらに、いずれの暖房空調運転の際も、気液接触型の空気清浄装置としてのエアワッシャー３ａを空気が通過するために、暖気が適度に加湿される。
【００８６】
次に、冷房空調運転時のパターンについて説明する。
【００８７】
２階居室空間５２，５２を冷房するときは、制御部３０は、エアコンディショナの屋内機３を稼動させて、換気空調兼用床上用吹出部３３から空調用の冷気を吹き出し、上階給気口７，７に設けられた強制給気手段としての給気用ファン７ａを稼動させる制御を行う。
【００８８】
このように制御を行うと、図３に示したように、エアコンディショナの屋内機３の換気空調兼用床上用吹出部３３から吹き出した空調用の冷気は、ダクト９２を通って共有給気口１１から共有空間としての階段スペース５３へ吹き出される。
【００８９】
この冷気は、給気用ファン７ａが稼動した上階給気口７から２階居室空間５２，５２へ給気され、２階居室空間５２，５２内を空調した後、上階給排気口としてのドア５２ａの下側の隙間６２から階段スペース５３へ排気される。
【００９０】
そして、共有排気口１０を通って、エアコンディショナの屋内機３の空調用吸込部３２から吸い込まれ、この循環を繰り返す。
【００９１】
なお、片側のみの２階居室空間５２だけを冷房するときは、その２階居室空間５２に付随する給気用ファン７ａだけを稼動させればよい。
【００９２】
また、１階居室空間５１，５１も冷房するときは、１階床上用吹出部３４，３４からも空調用の冷気を吹き出させる。
【００９３】
このように制御を行うと、図３に示したように、エアコンディショナの屋内機３の１階床上用吹出部３４，３４から吹き出した空調用の冷気は、ダクト９３を通って１階換気空調給気口１２から１階居室空間５１，５１へそれぞれ給気される。
【００９４】
そして、１階居室空間５１，５１内を空調した後、１階空調排気口１３を通って、エアコンディショナの屋内機３の空調用吸込部３２から吸い込まれ、この循環を繰り返す。
【００９５】
なお、片側のみの１階居室空間５１だけを冷房するときは、その１階居室空間５１の１階換気空調給気口１２にダクト９３を介して接続される１階床上用吹出部３４だけから空調用の冷気を吹き出させればよい。
【００９６】
さらに、いずれの冷房空調運転の際も、気液接触型の空気清浄装置としてのエアワッシャー３ａを空気が通過するために、空気が余計に加湿されているため、エアコンディショナの屋内機３の除湿機能により適度に除湿される。
【００９７】
次に、換気運転時のパターンについて説明する。
【００９８】
建物１の床上空間５内の換気運転は、現在では、連続的であるか間欠的であるかにかかわらず、必ず行わなくてはならないものである。
【００９９】
この換気運転時は、制御部３０は、換気空調装置としてのエアコンディショナの屋内機３の外気吸込部３１から換気用の外気を吸い込み、換気空調兼用床上用吹出部３３及び１階床上用吹出部３４，３４から換気用の空気を吹き出し、内気吐出口１６と上階換気用排気口１５，１５及び共有換気口１４とを接続するダクト９６の中継部分に設けられた強制排気手段としての排気用ファン１８を稼動させる制御を行う。
【０１００】
こうように制御を行うと、図４に示したように、外気吸入口８から吸入された換気用の空気（外気）は、エアコンディショナの屋内機３の外気吸込部３１から吸い込まれる。
【０１０１】
ここで、換気空調兼用床上用吹出部３３から吹き出された換気用の空気は、ダクト９２を通って共有給気口１１から共有空間としての階段スペース５３へ吹き出され、上階給排気口としてのドア５２ａの隙間６２から２階居室空間５２，５２へそれぞれ給気される。
【０１０２】
そして、２階居室空間５２，５２内を換気した後、上階換気用排気口１５，１５からダクト９５を通り、排気用ファン１８が稼動したダクト９６を通って内気吐出口１６から建物１の屋外へ排気される。
【０１０３】
また、共有空間としての階段スペース５３を換気した後の空気は、共有換気口１４からダクト９４を通り、排気用ファン１８が稼動したダクト９６を通って内気吐出口１６から建物１の屋外へ排気される。
【０１０４】
さらに、１階床上用吹出部３４，３４から吹き出された換気用の空気は、ダクト９３を通って１階換気空調給気口１２から１階居室空間５１，５１へそれぞれ吹き出される。
【０１０５】
そして、１階居室空間５１，５１内を換気した後、１階換気排気口としてのドア５１ａの隙間６１から共有空間としての階段スペース５３へ排気され、階段スペース５３を換気した後の空気とともに、共有換気口１４からダクト９４を通り、排気用ファン１８が稼動したダクト９６を通って内気吐出口１６から建物１の屋外へ排気される。
【０１０６】
すなわち、これらの循環を繰り返す。
【０１０７】
次に、換気空調運転時のパターンについて説明する。
【０１０８】
この換気空調運転時は、制御部３０は、換気空調装置としてのエアコンディショナの屋内機３の外気吸込部３１から換気用の外気を吸い込み、換気空調兼用床上用吹出部３３及び１階床上用吹出部３４，３４から空調用の空気及び換気用の空気を吹き出す制御を行う。
【０１０９】
そのうえで、上階給気口７，７に設けられた強制給気手段としての給気用ファン７ａ，７ａを稼動させるとともに、内気吐出口１６と上階換気用排気口１５，１５及び共有換気口１４とを接続するダクト９６の中継部分に設けられた強制排気手段としての排気用ファン１８も稼動させる制御も行う。
【０１１０】
このように制御を行うと、図５に示したように、外気吸入口８から吸入された換気用の空気（外気）は、エアコンディショナの屋内機３の外気吸込部３１から吸い込まれる。
【０１１１】
まず、換気空調兼用床上用吹出部３３から吹き出された換気用の空気は、ダクト９２を通って共有給気口１１から共有空間としての階段スペース５３へ吹き出され、給気用ファン７ａ，７ａが稼動した上階給気口７，７から２階居室空間５２，５２へ給気される。
【０１１２】
そして、２階居室空間５２，５２内を換気した後、上階換気用排気口１５，１５からダクト９５，９５を通り、排気用ファン１８が稼動したダクト９６を通って内気吐出口１６から建物１の屋外へ排気される。
【０１１３】
また、換気空調兼用床上用吹出部３３から吹き出された空調用の暖気又は冷気は、換気用の空気とともに、ダクト９２を通って共有給気口１１から共有空間としての階段スペース５３へ吹き出され、給気用ファン７ａ，７ａが稼動した上階給気口７，７から２階居室空間５２，５２へ給気される。
【０１１４】
そして、２階居室空間５２，５２内を空調した後、上階給排気口としてのドア５２ａの下側の隙間６２から階段スペース５３へ排気される。
【０１１５】
そして、共有排気口１０を通って、エアコンディショナの屋内機３の空調用吸込部３２から吸い込まれる。
【０１１６】
さらに、１階床上用吹出部３４，３４から吹き出された換気用の空気は、ダクト９３，９３を通って１階換気空調給気口１２から１階居室空間５１，５１へそれぞれ吹き出される。
【０１１７】
そして、１階居室空間５１，５１内を換気した後、１階換気排気口としてのドア５１ａの隙間６１から共有空間としての階段スペース５３へ排気され、階段スペース５３を換気した後の空気とともに、共有換気口１４からダクト９４を通り、排気用ファン１８が稼動したダクト９６を通って内気吐出口１６から建物１の屋外へ排気される。
【０１１８】
また、エアコンディショナの屋内機３の１階床上用吹出部３４，３４から吹き出した空調用の暖気又は冷気は、換気用の空気とともに、ダクト９３を通って１階換気空調給気口１２から１階居室空間５１，５１へそれぞれ給気される。
【０１１９】
そして、１階居室空間５１，５１内を空調した後、１階空調排気口１３を通って、エアコンディショナの屋内機３の空調用吸込部３２から吸い込まれる。
【０１２０】
すなわち、これらの循環を繰り返す。
【０１２１】
次に、実施例の作用効果について説明する。
【０１２２】
このような実施例の換気空調システムは、２階建ての建物１の床下空間４に換気空調装置としての制御部３０が内蔵されたエアコンディショナの屋内機３が設置されており、建物１は、２階居室空間５２，５２と、１階から２階まで連通する共有空間としての階段スペース５３とを備え、エアコンディショナの屋内機３は、建物１の外側面に設けられた外気吸入口８と連通する外気吸込部３１と、空調用吸込部３２と、階段スペース５３の２階踊り場の床部１ｉに設けられた共有給気口１１と連通するようにダクト９２を介して接続された換気空調兼用床上用吹出部３３とを備えている。
【０１２３】
そして、２階居室空間５２，５２と階段スペース５３との間には、上階給気口７，７が設けられているとともに、上階給気口７，７には、強制給気手段としての給気用ファン７ａ，７ａが設けられており、建物１の階段スペース５３に面する床部１ａには共有排気口１０が設けられている。
【０１２４】
そのうえで、建物１の外側面に設けられた内気吐出口１６が、２階居室空間５２，５２の床部１ｉに設けられた上階換気用排気口１５，１５と連通するようにダクト９５，９５，９６を介して接続されているとともに、内気吐出口１６は、階段スペース５３の床部１ａに設けられた共有換気口１４とも連通するようにダクト９４，９６を介して接続されており、内気吐出口１６と上階換気用排気口１５，１５及び共有換気口１４とを接続するダクト９６の中継部分に強制排気手段としての排気用ファン１８が設けられた構成とされている。
【０１２５】
こうした構成なので、２階居室空間５２，５２へ配設されるダクト９５，９５は、換気用の空気を排気するためだけに利用するため、その分細くでき、特に中間壁１ｆなどの壁構造や２階部分の床部１ｉなどの床構造の設計の自由度に極力制限を与えることなく、空気清浄化を行う換気と冷暖房や調湿などを行う空調とを同時に管理制御することができる。
【０１２６】
ここで、２階居室空間５２，５２と共有空間としての階段スペース５３との間には、上階給排気口としてドア５２ａの下側に隙間６２がそれぞれ設けられている。
【０１２７】
このため、この上階給排気口としての隙間６２が、空調運転時及び換気空調運転時には、空調用の空気の排気口として機能し、換気運転時には、換気用の空気の給気口として機能するため、より簡易な構成にすることができる。
【０１２８】
また、外気吸入口８と外気吸込部３１との間が、ダクト９１を介して接続されている。
【０１２９】
このため、外気吸入口８から吸入される換気用の空気を、換気空調装置としてのエアコンディショナの屋内機３の外気吸込部３１で吸い込む際に必要な酸素量を含んだ状態に保つことができる。
【０１３０】
また、換気空調装置としてのエアコンディショナの屋内機３の外気吸込部３１と空調用吸込部３２とが設けられる上流側に、気液接触型の空気清浄装置としてのエアワッシャー３ａを備えている。
【０１３１】
このため、エアワッシャー３ａがフィルターのかわりとなり、しかもフィルター交換の必要がないため、略メンテナンスフリーとなる。
【０１３２】
さらに、建物１は、１階居室空間５１，５１を備え、換気空調装置としてのエアコンディショナの屋内機３は、１階床上用吹出部３４，３４を備え、１階居室空間５１，５１には、これらの床部１ａに、１階換気空調給気口１２と、１階空調排気口１３とがそれぞれ設けられており、１階床上用吹出部３４，３４と１階換気空調給気口１２，１２との間が、ダクト９３を介してそれぞれ接続されている。
【０１３３】
このため、１階居室空間５１，５１においても、同一の換気空調装置としてのエアコンディショナの屋内機３によって、換気空調を行うことができる。
【０１３４】
また、１階居室空間５１，５１と共有空間としての階段スペース５３との間には、１階換気排気口としてドア５１ａの下側に隙間６１がそれぞれ設けられている。
【０１３５】
このため、この１階換気排気口としての隙間６１が、換気運転時及び換気空調運転時に、換気用の空気の排気口として機能するため、より簡易な構成にすることができる。
【０１３６】
また、換気空調装置としてのエアコンディショナの屋内機３は、ヒートポンプ式であり、屋外に設置された屋外機２に接続されている。
【０１３７】
このため、ヒートポンプを用いるので、省エネルギー性能に優れたものとすることができる。
【０１３８】
さらに、床下空間４は、建物１の床としての床部１ａと基礎底盤コンクリート１ｂと基礎側壁コンクリート１ｃとに囲まれているとともに、基礎側壁コンクリート１ｃには基礎断熱材１９が取り付けられている。
【０１３９】
このため、床下空間４内の空気の熱を屋外に極力漏らすことなく、エネルギー効率のよい空調を行うことができる。
【０１４０】
また、空調運転時において、制御部３０は、換気空調装置としてのエアコンディショナの屋内機３の換気空調兼用床上用吹出部３３から空調用の空気を吹き出し、上階給気口７に設けられた強制給気手段としての給気用ファン７ａを稼動させる制御を行う。
【０１４１】
このため、エアコンディショナの屋内機３の換気空調兼用床上用吹出部３３から吹き出した空調用の空気は、ダクト９２を通って共有給気口１１から共有空間としての階段スペース５３へ吹き出され、給気用ファン７ａが稼動した上階給気口７から２階居室空間５２へ給気される。
【０１４２】
そして、２階居室空間５２内を空調した後、上階給排気口としてのドア５２ａの隙間６２から階段スペース５３へ排気され、共有排気口１０を通って、エアコンディショナの屋内機３の空調用吸込部３２から吸い込まれ、この循環を繰り返すので、２階居室空間５２に配設された換気用のダクト９５を用いない簡易且つ効率的な空調を行うことができる。
【０１４３】
また、換気運転時において、制御部３０は、換気空調装置としてのエアコンディショナの屋内機３の外気吸込部３１から換気用の外気を吸い込み、換気空調兼用床上用吹出部３３から換気用の空気を吹き出し、内気吐出口１６と上階換気用排気口１５，１５及び共有換気口１４とを接続するダクト９６の中継部分に設けられた強制排気手段としての排気用ファン１８を稼動させる制御を行う。
【０１４４】
このため、外気吸入口８から吸入された換気用の空気は、エアコンディショナの屋内機３の外気吸込部３１から吸い込まれ、換気空調兼用床上用吹出部３３から吹き出され、ダクト９２を通って共有給気口１１から共有空間としての階段スペース５３へ吹き出され、上階給排気口としてのドア５２ａの隙間６２から２階居室空間５２へ給気される。
【０１４５】
そして、２階居室空間５２内を換気した後、上階換気用排気口１５，１５からダクト９５，９５を通り、排気用ファン１８が稼動したダクト９６を通って内気吐出口１６から建物１の屋外へ排気され、この循環を繰り返すので、２階居室空間５２に配設された細い換気用のダクト９５を用いた簡易且つ効率的な換気を行うことができる。
【０１４６】
また、換気空調運転時において、制御部３０は、換気空調装置としてのエアコンディショナの屋内機３の外気吸込部３１から換気用の外気を吸い込み、換気空調兼用床上用吹出部３３から空調用の空気及び換気用の空気を吹き出し、上階給気口７に設けられた強制給気手段としての給気用ファン７ａを稼動させるとともに、内気吐出口１６と上階換気用排気口１５，１５及び共有換気口１４とを接続するダクト９６の中継部分に設けられた強制排気手段としての排気用ファン１８も稼動させる制御を行う。
【０１４７】
このため、外気吸入口８から吸入された換気用の空気は、エアコンディショナの屋内機３の外気吸込部３１から吸い込まれ、換気空調兼用床上用吹出部３３から吹き出され、ダクト９２を通って共有給気口１１から共有空間としての階段スペース５３へ吹き出され、給気用ファン７ａが稼動した上階給気口７から２階居室空間５２へ給気され、２階居室空間５２内を換気した後、上階換気用排気口１５からダクト９５を通り、排気用ファン１８が稼動したダクト９６を通って内気吐出口１６から建物１の屋外へ排気され、この循環を繰り返す。
【０１４８】
そのうえ、エアコンディショナの屋内機３の換気空調兼用床上用吹出部３３から吹き出した空調用の空気は、換気用の空気とともに、ダクト９２を通って共有給気口１１から共有空間としての階段スペース５３へ吹き出され、給気用ファン７ａが稼動した上階給気口７から２階居室空間５２へ給気され、２階居室空間５２内を空調した後、上階給排気口としてのドア５２ａの隙間６２から階段スペース５３へ排気され、共有排気口１０を通って、エアコンディショナの屋内機３の空調用吸込部３２から吸い込まれ、この循環を繰り返すので、２階居室空間５２に配設された細い換気用のダクト９５を用いた簡易且つ効率的な換気空調を行うことができる。
【０１４９】
このような実施例の建物１は、実施例の換気空調システムを備えた構成とされているので、上記した作用効果を奏する建物とすることができる。
【０１５０】
そのうえ、換気空調装置としてのエアコンディショナの屋内機３などが、床下空間４に設置されているので、床上空間５は、これらに占用されず、有効に利用することができ、意匠的外観も良い。
【０１５１】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【０１５２】
例えば、上記した実施例では、本発明の換気空調システムの説明を簡単に行えるように、建物１の構造などを単純化したが、これに限定されない。
【０１５３】
すなわち、３階以上の建物において実施してもよい。
【０１５４】
また、上記した実施例では、換気空調装置としてのエアコンディショナの屋内機３の上流側に、気液接触型の空気清浄装置としてのエアワッシャー３ａを内蔵して実施したが、これに限定されず、エアワッシャー３ａの代わりに、単純にフィルターを設けて実施してもよい。
【０１５５】
さらに、上記した実施例では、共有空間を階段スペース５３として実施したが、これに限定されず、共有空間を吹き抜け空間などとして実施してもよい。
【０１５６】
また、上記した実施例では、２階居室空間５２，５２のみにおいて、特に給気に関して、共有空間としての階段スペース５３を利用した換気空調を行える構成として実施したが、これに限定されず、１階居室空間５１，５１においても、２階居室空間５２，５２と同様な仕組みで換気空調を行える構成として実施してもよい。
【０１５７】
さらに、上記した実施例では、空調運転時について、冷暖房についてのみ説明したが、換気空調装置としてのエアコンディショナの屋内機３の送風機能と除湿機能とにより、除湿や加湿の調湿も行うことができる。
【０１５８】
また、上記した実施例では、換気空調運転時のパターンについて、コントローラを１つにして簡単に説明したが、これに限定されず、１階居室空間５１，５１及び２階居室空間５２，５２のそれぞれにコントローラを設け、各コントローラの操作により、１階床上用吹出部３４からの吹出風量や強制給気手段としての給気用ファン７ａの回転数を変化させて、個別に設定温度などを調整可能に実施してもよい。
【０１５９】
さらに、上記した実施例では、制御部３０を、換気空調装置としてのエアコンディショナの屋内機３の内部に設けて実施したが、これに限定されず、エアコンディショナの屋内機３の外部に設けて実施してもよい。
【０１６０】
また、上記した実施例では、比較的太いダクト９２を中間壁１ｇ内に配設して実施したが、これに限定されず、例えば、建物１がユニット建物である場合などは、その柱が鋼管柱なので、ダクト９２を、この鋼管柱内の中空部に配設して実施してもよい。
【符号の説明】
【０１６１】
１      建物
１ａ    床部（１階部分の床）
１ｂ    基礎底盤コンクリート
１ｃ    基礎側壁コンクリート（建物の外周の基礎）
１ｄ    外壁部
１ｅ    天井部
１ｆ    中間壁
１ｇ    中間壁
１ｈ    中間壁
１ｉ    床部（２階部分の床）
２      エアコンディショナの屋外機
２１    熱媒循環管路
３      エアコンディショナの屋内機（換気空調装置）
３ａ    エアワッシャー（気液接触型の空気清浄装置）
３０    制御部
３１    外気吸込部
３２    空調用吸込部
３３    換気空調兼用床上用吹出部
３４    １階床上用吹出部
４      床下空間
５      床上空間
５１    １階居室空間
５２    ２階居室空間（上階居室空間）
５３    階段スペース（共有空間）
５１ａ  ドア
５２ａ  ドア
６１    ドアの隙間（１階換気排気口）
６２    ドアの隙間（上階給排気口）
７      上階給気口
７ａ    給気用ファン（強制給気手段）
８      外気吸入口
９１    ダクト
９２    ダクト
９３    ダクト
９４    ダクト
９５    ダクト
９６    ダクト
１０    共有排気口
１１    共有給気口
１２    １階換気空調給気口
１３    １階空調排気口
１４    共有換気口
１５    上階換気用排気口
１６    内気吐出口
１７    分岐チャンバ
１８    排気用ファン（強制排気手段）
１９    基礎断熱材
【図１】
0005504015.tif 000002
【図２】
0005504015.tif 000003
【図３】
0005504015.tif 000004
【図４】
0005504015.tif 000005
【図５】
0005504015.tif 000006